(57)【要約】【課題】微量な検体でも十分な光路長を確保することができ、吸光度を精度よく測定することができる分光光度計のセルおよび分光光度計を提案することにある。【解決手段】測定セル５２は石英ガラスからなる光導波管用細管部分５３と検体充填用細管部分５４とから構成されており、測定セル５２に検体１００が充填されると光導波管用細管部分５３が光導波管として機能する。分光光度計４は光射出手段６０と受光手段６５を有しており、光射出手段６０は検査光を光導波管用細管部分５３の一方の開口端５３ａに入射させる。入射した光は光導波管用細管部分５３の内部を全反射しながら検体を透過し、他方の開口端５３ｂから射出される。射出された透過光を受光手段６５で受光して吸光度を求める。光導波管用細管部分５３の軸線方向に十分な光路長が確保できるので、細管内に充填した検体が微量でも、吸光度を精度よく測定することができる。【選択図】図７
2009008470.tif 000002
【特許請求の範囲】
【請求項１】
細管に検体を充填し、
検体によって規定されるコア層が細管によって規定されるクラッド層に取り囲まれた断面構造の光導波管を構成し、
この光導波管を経由して検査光を透過させ、
透過光から検体の吸光度を測定することを特徴とする分光光度測定方法。
【請求項２】
請求項１に記載された分光光度測定方法に用いられる分光光度測定用のセルであって、
中空部分に検体が充填されることにより光導波管を構成する光導波管用細管部分と、
前記中空部分に検体を充填するために、前記光導波管用細管部分の途中から分岐している検体充填用細管部分とを有することを特徴とする分光光度測定用のセル。
【請求項３】
請求項２において、
前記検体充填用細管部分は前記光導波管用細管部分の軸線方向と直交する方向に分岐していることを特徴とする分光光度測定用のセル。
【請求項４】
請求項２または３において、
前記検体充填用細管部分は前記光導波管用細管部分の軸線方向の中央から分岐していることを特徴とする分光光度測定用のセル。
【請求項５】
請求項２ないし４のうちのいずれかの項において、
前記光導波管用細管部分は石英ガラスからなることを特徴とする分光光度測定用のセル。
【請求項６】
請求項１に記載されている分光光度測定方法に用いられる分光光度計であって、
中空部分に検体が充填されることにより光導波管を構成する光導波管用細管部分と、前記中空部分に検体を充填するために、前記光導波管用細管部分の途中から分岐している検体充填用細管部分とを有するセルと、
検体に向けて検査光を射出する光射出手段と、
検体を透過した透過光を受光する受光手段と、
前記検体充填用細管部分の開口端に密着して検体を加圧しながら前記光導波管用細管部分に充填する検体充填手段とを有し、
前記光射出手段は、前記光導波管用細管部分の一方の開口端を密閉している状態と開放している状態との間で変位する光射出側密閉部材を備えており、
前記受光手段は、前記光導波管用細管部分の他方の開口端を密閉している状態と開放している状態との間で変位する受光側密閉部材を備えていることを特徴とする分光光度計。
【請求項７】
請求項６において、
前記光射出手段は、光源と、この光源から射出された検査光を端面から射出する光射出側光ファイバとを有しており、
前記光射出側密閉部材は前記光射出側光ファイバであり、この前記端面が前記光導波管用細管部分の前記一方の開口端に密着している状態と密着していない状態との間で変位することを特徴とする分光光度計。
【請求項８】
請求項６または７において、
前記受光手段は、受光素子と、端面から入射する光をこの受光素子に導く受光側光ファイバとを有しており、
前記受光側密閉部材は前記受光側光ファイバであり、この前記端面が前記光導波管用細管部分の前記他方の開口端に密着している状態と密着していない状態との間で変位することを特徴とする分光光度計。
【請求項９】
請求項６ないし８のうちのいずれかの項に記載されている分光光度計におけるセルへの検体の充填方法であって、
前記光導波管用細管部分の前記一方の開口端および前記他方の開口端が開放されている初期状態から、前記一方の開口端を前記光射出手段および前記受光手段のいずれか一方で密閉し、
検体を加圧しながら前記検体充填用細管部分を介して前記光導波管用細管部分に注入し、
前記検体を少なくとも前記他方の開口端の端面より外側に突出している状態にして、この他方の開口端を前記光射出手段および前記受光手段のいずれか他方で密閉し、
前記光導波管用細管部分の前記一方の開口端を開放し、
前記検体を加圧しながら前記検体充填用細管部分を介して前記光導波管用細管部に注入し、
前記検体を少なくとも前記一方の開口端の端面より外側に突出している状態にして、この一方の開口端を前記光射出手段および前記受光手段のいずれか一方で密閉することを特徴とするセルへの検体の充填方法。
【請求項１０】
請求項６ないし８のうちのいずれかの項に記載されている分光光度計におけるセルへの検体の充填方法であって、
前記光導波管用細管部分の前記一方の開口端および前記他方の開口端が開放されている初期状態において、検体を加圧しながら前記検体充填用細管部分を介して前記光導波管用細管部分に注入し、
前記検体を、少なくとも前記一方の開口端のおよび前記他方の開口端の各端面より外側に突出している状態にして、前記一方の開口端を前記光射出手段および前記受光手段のいずれか一方で密閉し、前記他方の開口端を前記光射出手段および前記受光手段のいずれか他方で密閉することを特徴とするセルへの検体の充填方法。
【発明の詳細な説明】
【技術分野】
【０００１】
本発明は、薬液と反応している微量な検体の吸光度を、検体をセルに貯留した状態で精度よく測定することができる分光光度測定方法に関するものである。また、そのような分光光度測定方法に用いる分光光度計、分光光度測定用のセルおよびセルへの検体の充填方法に関するものである。
【背景技術】
【０００２】
分光光度計は、セルに貯留されている検体に向けて特定波長の光を照射し、検体を透過した透過光を受光して吸光度を求めるものである。一般生化学検査、免疫検査などに用いられており、求められた吸光度に基づいて成分濃度の分析が行われる。
【０００３】
検体には貴重なものが多いので、吸光度を求める際に分光光度計で使用する検体は微量にする必要がある。その一方で、吸光度は検体（溶液）の濃度と検体を透過する光の光路長の積に比例するので、高精度の分析を行うためには、検体を透過する光の光路長を確保することが必要である。
【０００４】
微量な検体の吸光度を求める技術は特許文献１に記載されている。特許文献１では、検体の表面張力を利用して検体の液柱を形成し、この液柱の軸線方向に光を透過させることによって光路長を確保している。これによって１μｌ程度の微量な検体の吸光度を求めることが可能になっている。
【０００５】
しかし、この技術は、検体をセルに貯留した状態で吸光度を測定するものではない。このため、液柱状にされた検体の表面が露出しており、短時間で測定を行わなければ、変質や、蒸発によって成分濃度が変化してしまうという問題がある。また、操作者は手作業によって微量の検体を小さな検出部にピペッティングする必要があるので、操作には熟練を要し、多くの検体を連続して検査することが難しいという問題がある。
【特許文献１】米国特許第６８０９８２６号明細書
【発明の開示】
【発明が解決しようとする課題】
【０００６】
ここで、１μｌ程の微量な検体に対して、セルに貯留した状態で十分な光路長を確保しながら吸光度を測定する分光光度測定方法は提案されていないのが現状である。また、そのような分光光度測定方法に用いられるセルおよび分光光度計も提案されていない。
【０００７】
本発明の課題は、このような点に鑑みて、微量な検体でも十分な光路長を確保して、吸光度を精度よく測定することができる分光光度測定方法を提案することにある。また、そのような分光光度測定方法に用いられる分光光度測定用のセルおよび分光光度計を提案することにある。さらに、分光光度計におけるセルへの検体の充填方法を提案することにある。
【課題を解決するための手段】
【０００８】
上記の課題を解決するために、本発明は、分光光度測定方法であって、
細管に検体を充填し、
検体によって規定されるコア層が細管によって規定されるクラッド層に取り囲まれた断面構造の光導波管を構成し、
この光導波管を経由して検査光を透過させ、
透過光から検体の吸光度を測定することを特徴とする。
【０００９】
本発明の分光光度測定方法によれば、細管に充填された検体は光導波管のコア層として機能するので、細管の一方の開口端から検査光が入射すると、検体を透過し、その透過光が他方の開口端から出射される。ここで、光導波管のクラッド層となる細管の内径は数μｍから数十μｍのオーダーで形成されるので、検体の量が１μｌ程度と微量でもその軸線方向に十分な光路長を確保することができる。よって、吸光度を精度よく測定することができる。また、検体が充填された状態で細管は光導波管として機能するので、細管が曲がっていても光学的な損失が少なく、吸光度を精度よく求めることができる。また、細管の形成に高い精度が要求されないので、その製造コストを抑えることができる。
【００１０】
次に、本発明は、上記の分光光度測定方法に用いられる分光高度測定用のセルであって、
中空部分に検体が充填されることにより光導波管を構成する光導波管用細管部分と、
前記中空部分に検体を充填するために、前記光導波管用細管部分の途中から分岐している検体充填用細管部分とを有することを特徴とする。
【００１１】
本発明によれば、細管の中空部分をセルとしているので、その容量が小さい。従って、セルに充填される検体は微量で済む。また、検体が充填された状態で光導波管用細管部分は光導波管として機能するので、光導波管用細管部分の一方の開口端から入射した光は光導波管用細管部分の内部を全反射しながら検体を透過し、透過光が他方の開口端から出射される。従って、光導波管用細管部分の軸線方向に十分な光路長を確保することができる。また、光導波管用細管部分は光導波管として機能するので、光導波管用細管部分が曲がっていても光学的な損失が少ない。従って、本発明の分光光度測定用のセルを用いれば、微量な検体でも吸光度を精度よく求めることができる。また、光導波管用細管部分の形成に高い精度が要求されないので、セルの製造コストを抑えることができる。さらに、光導波管用細管部分への検体の充填は、検体充填用細管部分を利用して行うことができる。
【００１２】
本発明において、光導波管用細管部分に検体を充填する際に、検体の淀みをなくし気泡が細管内に停滞することを回避するためには、前記検体充填用細管部分は前記光導波管用細管部分の軸線方向と直交する方向に分岐していることが望ましい。
【００１３】
また、検体を効率的に充填するためには、前記検体充填用細管部分は前記光導波管用細管部分の軸線方向の中央から分岐していることが望ましい。
【００１４】
本発明において、光導波管用細管部分を光導波管のクラッド層として機能させるためには、前記光導波管用細管部分は石英ガラスからなることが望ましい。
【００１５】
次に、本発明は、上記の分光光度測定方法に用いられる分光光度計であって、
中空部分に検体が充填されることにより光導波管を構成する光導波管用細管部分と、前記中空部分に検体を充填するために、前記光導波管用細管部分の途中から分岐している検体充填用細管部分とを有するセルと、
検体に向けて検査光を射出する光射出手段と、
検体を透過した透過光を受光する受光手段と、
前記検体充填用細管部分の開口端に密着して検体を加圧しながら前記光導波管用細管部分に充填する検体充填手段とを有し、
前記光射出手段は、前記光導波管用細管部分の一方の開口端を密閉している状態と開放している状態との間で変位する光射出側密閉部材を備えており、
前記受光手段は、前記光導波管用細管部分の他方の開口端を密閉している状態と開放している状態との間で変位する受光側密閉部材を備えていることを特徴とする。
【００１６】
本発明の分光光度計は、細管の中空部分をセルとしているので、そこに充填される検体は微量で済む。また、検体が充填されたセルの光導波管用細管部分は光射出手段と受光手段とを繋ぐ光導波管として機能するので、その軸線方向に、検体を透過する検査光の光路長を確保することができる。従って、検体が微量でも、その吸光度を精度良く求めることができる。さらに、光射出手段および受光手段は、それぞれが備える密閉部材によって光導波管用細管部分の一方および他方の開口端を密閉することができる。この結果、光導波管用細管部分の中空部分に充填されている検体を外気から遮断した状態にできるので、吸光度を測定する間に検体が、変質や蒸発してしまうことがない。よって、吸光度に基づいた成分濃度の分析を精度よく行うことができる。また、光導波管用細管部分への検体の充填は、検体充填用細管部分の開口端に密着する検体充填手段によって行うので、操作者に熟練を要するピペッティングなどを強いることがない。
【００１７】
ここで、前記光射出手段は、光源と、この光源から射出された検査光を端面から射出する光射出側光ファイバとを有しており、
前記光射出側密閉部材は前記光射出側光ファイバであり、この前記端面が前記光導波管用細管部分の一方の開口端に密着している状態と密着していない状態との間で変位することが望ましい。
【００１８】
また、前記受光手段は、受光素子と、端面から入射する光をこの受光素子に導く受光側光ファイバとを有しており、
前記受光側密閉部材は前記受光側光ファイバであり、この前記端面が前記光導波管用細管部分の他方の開口端に密着している状態と密着していない状態との間で変位することを特徴とすることが望ましい。
【００１９】
次に、本発明は、上記の分光光度計におけるセルへの検体の充填方法であって、
前記光導波管用細管部分の前記一方の開口端および前記他方の開口端が開放されている初期状態から、前記一方の開口端を前記光射出手段および前記受光手段のいずれか一方で密閉し、
検体を加圧しながら前記検体充填用細管部分を介して前記光導波管用細管部分に注入し、
前記検体を少なくとも前記他方の開口端の端面より外側に突出している状態にして、この他方の開口端を前記光射出手段および前記受光手段のいずれか他方で密閉し、
前記光導波管用細管部分の前記一方の開口端を開放し、
前記検体を加圧しながら前記検体充填用細管部分を介して前記光導波管用細管部に注入し、
前記検体を少なくとも前記一方の開口端の端面より外側に突出している状態にして、この一方の開口端を前記光射出手段および前記受光手段のいずれか一方で密閉することを特徴とする。
【００２０】
本発明の分光光度計におけるセルへの充填方法によれば、検体を加圧しながら光導波管用細管部分に注入することにより、検体を各開口端の端面から外側に突出させた状態にして、これらの開口端を光射出手段および受光手段で密閉している。この結果、光導波管用細管部分の内部に気泡が残ってしまうことがないので、吸光度を精度よく求めることができる。また、光射出手段および受光手段のいずれか一方によって開口端のいずれか一方を密閉した状態で、いずれか他方の開口端の端面から検体を突出させているので、各開口端から検体が表面張力によって突出する量を調節することができる。検体を開口端からオーバーフローさせることなく突出させることができるので、検体を無駄に消費してしまうことがない。
【００２１】
次に、本発明は、上記の分光光度計におけるセルへの検体の充填方法の別の形態であって、
前記光導波管用細管部分の前記一方の開口端および前記他方の開口端が開放されている初期状態において、検体を加圧しながら前記検体充填用細管部分を介して前記光導波管用細管部分に注入し、
前記検体を、前記一方の開口端のおよび前記他方の開口端の各端面より少なくとも外側に突出している状態にして、前記一方の開口端を前記光射出手段および前記受光手段のいずれか一方で密閉し、前記他方の開口端を前記光射出手段および前記受光手段のいずれか他方で密閉することを特徴とする。
【００２２】
このようなセルへの充填方法によっても、検体を少なくとも各開口端の端面から外側に突出させた状態にして、場合によってはオーバーフローさせながら、これらの開口端を光射出手段および受光手段で密閉している。従って、光導波管用細管部分の内部に気泡が残ってしまうことがないので、吸光度を精度よく求めることができる。
【発明の効果】
【００２３】
本発明の分光光度測定方法によれば、細管に充填された検体は光導波管のコア層として機能するので、細管の一方の開口端から検査光が入射すると、検体を透過し、その透過光が他方の開口端から出射される。ここで、光導波管のクラッド層となる細管の内径は数μｍから数十μｍのオーダーで形成されるので、検体の量が１μｌ程度と微量でもその軸線方向に十分な光路長を確保することができる。よって、吸光度を精度よく測定することができる。また、検体が充填された状態で細管は光導波管として機能するので、細管が曲がっていても光学的な損失が少なく、吸光度を精度よく求めることができる。また、細管の形成に高い精度が要求されないので、その製造コストを抑えることができる。
【００２４】
次に、本発明の分光光度計のセルによれば、細管の中空部分をセルとしているので、その容量が小さい。従って、セルに充填される検体は微量で済む。また、検体が充填された状態で光導波管用細管部分は光導波管として機能するので、光導波管用細管部分の軸線方向に光路長を確保することができる。また、光導波管用細管部分は光導波管として機能するので、光導波管用細管部分が曲がっていても光学的な損失が少ない。従って、本発明の分光光度測定用のセルを用いれば、微量な検体でも吸光度を精度よく求めることができる。また、光導波管用細管部分の形成に高い精度が要求されないので、セルの製造コストを抑えることができる。さらに、光導波管用細管部分への検体の充填は、検体充填用細管部分を利用して行うことができるので、検体のセルへの充填が容易である。
【００２５】
次に、本発明の分光光度計は、セルが光導波管として機能する光導波管用細管部分を備えているので、検体が微量でも、その吸光度を精度良く求めることができる。また、光射出手段および受光手段は、それぞれが備える密閉部材によって光導波管用細管部分の一方および他方の開口端を密閉することができる。この結果、光導波管用細管部分の中空部分に充填されている検体を外気から遮断した状態にできるので、吸光度を測定する間に検体が、変質や蒸発してしまうことがない。よって、吸光度に基づいた成分濃度の分析を精度よく行うことができる。また、光導波管用細管部分への検体の充填は、検体充填用細管部分の開口端に密着する検体充填手段によって行うので、操作者に熟練を要するピペッティングなどを強いることがない。
【００２６】
また、本発明の分光光度計におけるセルへの充填方法によれば、検体を加圧しながら光導波管用細管部分に注入することにより、検体を少なくとも各開口端の端面から外側に突出させた状態にして、これらの開口端を光射出手段および受光手段で密閉している。この結果、光導波管用細管部分の内部に気泡が残ってしまうことがないので、吸光度を精度よく求めることができる。
【発明を実施するための最良の形態】
【００２７】
以下に、図面を参照して、本発明を適用した分光光度計を搭載する臨床検査装置の実施の形態を説明する。
【００２８】
（臨床検査装置）
図１は本実施の形態に係る臨床検査装置の主要部分の概略構成図である。図２は（ａ）がその概略正面図であり、（ｂ）が概略平面図である。図３は図１のＡ−Ａ線で切断した部分を示す概略断面図である。これらの図を参照して臨床検査装置１の全体構成を説明する。
【００２９】
本例の臨床検査装置１は、インクジェットプリンタに使用されているインクジェットヘッドと同様な機構の液滴吐出ヘッド２を用いて、検体検査用の薬液あるいは検体を、検体と試薬を反応させるための検査チップ３に分注し、検査チップ３における検体の反応結果を分光光度計４により測定するものである。
【００３０】
図１、２に示すように、臨床検査装置１は、矩形枠状の装置フレーム５の底面中央部分に取り付けた前後方向（Ｙ方向）に出し入れ可能な検査テーブル６を備えており、検体および薬液が分注される検査チップ３はこの検査テーブル６の上面に形成されている装着用凹部７に装着されている。検査テーブル６における装着用凹部７を囲む部位には分光光度計４が配置されており、分光光度計４は、検体に向けて特定波長の光を検査光として射出する光射出手段６０と、検体を透過した透過光を受光する受光手段６５と、検査チップ３に取り付けられている測定セル５２に検体を充填するための検体充填手段７０を有している。なお、検査チップ３、測定セル５２および分光光度計４については、その詳細を後述する。
【００３１】
装置フレーム５には、検査テーブル６の上方を経由して左右方向（Ｘ方向）に往復移動可能なヘッドキャリッジ８が取り付けられている。ヘッドキャリッジ８は、Ｘ方向に掛け渡したキャリッジガイド軸９に沿って、キャリッジモータ９ａ、タイミングベルト９ｂ、プーリ９ｃなどからなるキャリッジ駆動機構によってＸ方向に移動する。ヘッドキャリッジ８には、検体検査用の薬液を検査チップ３に分注するための液滴吐出ヘッド２が搭載されている。装置フレーム５の後側中央部分には検査チップ３を収納しているチップマガジン１０が取り付けられており、検査チップ３はここから取り出されて使用される。
【００３２】
液滴吐出ヘッド２は、ヘッドキャリッジ８に搭載されている３連式の駆動ユニット１１（１）〜１１（３）と、これらの駆動ユニット１１（１）〜１１（３）のそれぞれの装着穴１２（１）〜１２（３）に着脱可能に上側から装着される３本のノズルカートリッジ１３（１）〜１３（３）とを備えている。
【００３３】
図３に示すように、ノズルカートリッジ１３（１）〜１３（３）は、その上半部分が薬液を貯留するための貯留部３１とされ、その下半部分が装着穴１２（１）〜１２（３）に装着可能な装着部３２とされている。この装着部３２の先端には液滴吐出用のノズル３３が形成されており、装着部３２の内部には、液滴をノズル３３から吐出させるために必要な圧力変動を発生させるための圧力発生用流路３４が形成されている。圧力発生用流路３４の一端がノズル３３に連通しており、その他端が貯留部３１に連通している。
【００３４】
次に、図１から３に示すように、ヘッドキャリッジ８には、３本のノズルカートリッジ１３（１）〜１３（３）を覆う状態に、吸引流路板１４が着脱可能な状態で装着されている。吸引流路板１４の上面には不図示のフィルムで封鎖された各ノズルカートリッジ１３（１）〜１３（３）の貯留部３１内に連通する３本の吸引流路１４（ａ）〜１４（ｃ）が形成されている。これらの吸引流路１４（ａ）〜１４（ｃ）の一端は、図３から分かるように、各ノズルカートリッジ１３（１）〜１３（３）の貯留部３１の内部に連通している。これらの吸引流路１４（ａ）〜１４（ｃ）の他端は、ヘッドキャリッジ８と装置フレーム５の間にＵ状に湾曲させて架け渡したフレキシブル配線板１５に沿って引き出されている不図示の可撓性の吸引チューブを介して、装置フレーム５の背面に搭載されているヘッド吸引ポンプ１６の吸引ポート（図示せず）に繋がっている。
【００３５】
吸引チューブと吸引ポートの間には三方電磁弁（図示せず）が配置されている。三方電磁弁を切り替えることにより、ノズルカートリッジ１３（１）〜１３（３）の内部をヘッド吸引ポンプ１６によって吸引可能である。また、ノズルカートリッジ１３（１）〜１３（３）とヘッド吸引ポンプ１６の間を切断して、ノズルカートリッジ１３（１）〜１３（３）の貯留部３１内を大気開放できるようになっている。
【００３６】
次に、装置フレーム５の底部における側方の部位には、廃液回収ユニット１７が配置されている。廃液回収ユニット１７は、ノズルカートリッジ１３（１）〜１３（３）のノズル３３が形成されている先端部分を覆うためのキャップ１８と、チューブポンプなどの廃液回収ポンプ１９と、廃液回収ポンプ１９によって吸引された廃液の回収部（図示せず）とを備えている。キャップ１８をノズルカートリッジ１３（１）〜１３（３）の先端部分に被せて、廃液回収ポンプ１９を駆動することにより、各ノズル３３を介して各ノズルカートリッジ１３（１）〜１３（３）内の液体を外部に排出して回収することができるようになっている。
【００３７】
装置フレーム５の底部における廃液回収ユニット１７とは反対側の側方の部位には、液体貯留ユニット２１が配置されている。この液体貯留ユニット２１は、マトリックス状に液体貯留用のウエル２２が形成されているウエルプレート２３と、このウエルプレート２３を昇降させるための昇降ユニット２４とを備えている。例えば、３行５列のウエル２２（１，１）〜２２（３，５）が形成されており、各行の間隔は３本のノズルカートリッジ１３（１）〜１３（３）のノズル３３に対応した間隔とされている。
【００３８】
例えば、１列分の３個のウエル２２（１，１）〜２２（３，１）は洗浄液が貯留された洗浄液貯留部である。残りのウエルは薬液貯留部であり、第１行目の４個のウエル２２（１，２）〜（１，５）は試薬（指標薬）が貯留された試薬貯留部、第２行目の４個のウエル２２（２，２）〜２２（２，５）は反応薬が貯留された反応薬貯留部、第３行目の４個のウエル２２（３，２）〜２２（３，５）は緩衝薬が貯留された緩衝薬貯留部である。
【００３９】
ここで、図１、２を参照して、ヘッドキャリッジ８に搭載されている液滴吐出ヘッド２の移動位置について説明する。液滴吐出ヘッド２は、その各ノズル３３が、廃液回収ユニット１７に対峙した待機位置２Ａと、検査テーブル６上の検査チップ３に対峙した分注位置（液滴吐出位置）２Ｂと、液体貯留部２１における洗浄液貯留用のウエル２２（１，１）〜２２（３，１）に対峙した洗浄液吸引位置２Ｃと、これら以外のウエルの各列に対峙した４箇所の薬液吸引位置２Ｄを経由するヘッド移動経路に沿って搬送されるようになっている。なお、図２は、液滴吐出ヘッド２のノズル３３が３列目のウエル２（１，３）〜２（３，３）に位置している状態を示してあり、図１は、液滴吐出ヘッド２が待機位置２Ａに位置している状態を示してある。
【００４０】
（分注動作）
次に、図４および図５は、臨床検査装置における動作のうち、主に薬液分注動作を示す説明図である。
【００４１】
まず、図１、３に示すように、待機位置２Ａに待機しているヘッドキャリッジ８に搭載されている駆動ユニット１１（１）〜１１（３）の装着穴１２（１）〜１２（３）に、空のノズルカートリッジ１３（１）〜１３（３）をそれぞれ装着して、液滴吐出ヘッド２を構成する。また、各ノズルカートリッジ１３（１）〜１３（３）の上に吸引流路板１４を取り付ける。
【００４２】
次に、図４（ａ）に示すように、検査テーブル６を前方に引き出し、チップマガジン１０から取り出された検査チップ３を装着用凹部７に装着する。検査チップ３を装着した後に、検査テーブル６を元の位置に引き込む。
【００４３】
この後は、図４（ｂ）に示すように、ヘッドキャリッジ８によって液滴吐出ヘッド２を洗浄液吸引位置２Ｃに移動する。洗浄液吸引位置２Ｃにおいて、昇降ユニット２４によってウエルプレート２３を上昇させ、各ノズルカートリッジ１３（１）〜１３（３）のノズル３３が形成されている先端部分を洗浄液貯留部であるウエル２２（１，１）〜２２（３，１）に貯留されている洗浄液内に差し込む。この状態で、ヘッド吸引ポンプ１６を駆動して、各ノズルカートリッジ１３（１）〜１３（３）の貯留部３１の内部を負圧状態にする。これにより、各ノズル３３を介して、各ノズルカートリッジ１３（１）〜１３（３）の貯留部３１の内部に洗浄液が吸引される。
【００４４】
次に、図４（ｃ）に示すように、ヘッドキャリッジ８によって液滴吐出ヘッド２を待機位置２Ａに戻し、廃液回収ユニット１７のキャップ１８を上昇させて、各ノズルカートリッジ１３（１）〜１３（３）のノズル３３を密閉状態で覆う（図３参照）。この状態で廃液回収ポンプ１９を駆動して、各ノズル３３を介して、各ノズルカートリッジ１３（１）〜１３（３）の内部から洗浄液を吸い出して回収する。これにより、各ノズルカートリッジ１３（１）〜１３（３）における貯留部３１の内部、圧力発生用流路３４およびノズル３３が洗浄される。
【００４５】
この後は、図５（ａ）に示すように、ヘッドキャリッジ８によって液滴吐出ヘッド２を薬液吸引位置２Ｄに移動し、各ノズルカートリッジ１３（１）〜１３（３）の各ノズル３３を薬液貯留部としての第２〜第５のウエル列のいずれかに位置決めする。この状態で、昇降ユニット２４によってウエルプレート２３を上昇させ、各ノズル３３を各ウエルに貯留されている薬液内に差し込む。次に、ヘッド吸引ポンプ１６を駆動して、各ノズルカートリッジ１３（１）〜１３（３）の貯留部３１の内部を負圧状態にする。これにより、各ノズル３３を介して、各ノズルカートリッジ１３（１）〜１３（３）の貯留部３１の内部に薬液が吸引される。例えば、各ノズルカートリッジ１３（１）〜１３（３）の貯留部３１に、それぞれ、指標薬、反応薬および緩衝薬が吸引される。
【００４６】
次に、図５（ｂ）に示すように、ヘッドキャリッジ８によって液滴吐出ヘッド２を分注位置２Ｂに移動し、検査チップ３に各ノズル３３から薬液を必要回数吐出する。これにより、検査チップ３に各薬液が分注される。例えば、液滴吐出ヘッド２の各ノズルカートリッジ１３（１）〜１３（３）のノズル３３を順次に検査チップ３の吐出位置に位置決めして、各ノズル３３から薬液を吐出する。各ノズル３３と検査チップ３の吐出位置との位置決めは、検査テーブル６をＹ方向に移動させることにより行われる。この後は、液滴吐出ヘッド２を待機位置に戻す。
【００４７】
上記の図４（ａ）の検体導入と、図５（ａ）の薬液吸引と、図５（ｂ）の薬液分注動作を繰り返し行うことにより、必要枚数分の検査チップ３に各薬液を分注することができる。なお、検体も液滴吐出ヘッド２を用いて検体チップ４に分注することも可能である。
【００４８】
同一種類の薬液の分注が終了した後は、図５（ｃ）に示すように、液滴吐出ヘッド２を待機位置に戻す。そして、廃液回収ユニット１７のキャップ１８を上昇させて、各ノズルカートリッジ１３（１）〜１３（３）のノズル３３を密閉状態で覆う（図３参照）。この状態で廃液回収ポンプ１９を駆動して、各ノズル３３を介して、各ノズルカートリッジ１３（１）〜１３（３）の内部に残っている薬液を吸い出して回収する。空となった使用済みの各ノズルカートリッジ１３（１）〜１３（３）を、各駆動ユニット１１（１）〜１１（３）から取り外して廃棄する。
【００４９】
（検査チップおよび測定セル）
ここで、図６を参照して検査チップを説明する。図６（ａ）は検査チップを示す斜視図であり、図６（ｂ）は図６（ａ）のＢ−Ｂ線で切断した検査チップの断面図である。
【００５０】
図６に示すように、検査チップ３は扁平な矩形状の基板４１を備えており、この基板４１の平坦な表面４２には、円形の検体および緩衝薬の導入孔４３と、円形の指標薬の導入孔４４と、円形の反応薬の導入孔４５と、長円形の反応チャンバ４６とが形成されている。基盤４１の下側には測定セル５２が取り付けられている。
【００５１】
導入孔４３、４４、４５にはそれぞれ連通溝４７、４８、４９が繋がっており、これらの連通溝４７〜４９は途中位置で合流して反応チャンバ４６に繋がっている。反応チャンバ４６は連通溝５０および連通管５１を介して測定セル５２に繋がっている。連通管５１は、連通溝５０からと連続する上端部分が漏斗状になっている細管である。連通管５１には、この連通管５１から測定セル５２に流れ込んだ検体が逆流しないようにするための微細な弁機構が設けられている。
【００５２】
測定セル５２は、Ｔ字形状をした石英ガラス製の細管である。基板４１と平行に延びている光導波管用細管部分５３と、その軸線方向の中央から軸線方向と直行する下方に分岐して延びる検体充填用細管部分５４を備えている。各細管部分５３、５４の径は１ｍｍ以下になっている。検体充填用細管部分５４が分岐している光導波管用細管部分５３の周壁部分と対向する周壁部分には、連通管５１の下端が接続されている。
【００５３】
ここで、測定セル５２は光導波管を形成する細管をセルとしており、その内径は数μｍから数十μｍのオーダーで形成される。このため、中空部分５２ａの容量が小さいので、測定セル５２に充填される検体は微量で済む。
【００５４】
また、光導波管用細管部分５３は、薬液と反応している検体が中空部分に充填された状態で光導波管を構成するようになっている。すなわち、検体が光導波管のコア層を構成し、光導波管用細管部分５３がクラッド層を構成する。この結果、一方の開口端５３ａから入射した光は光導波管用細管部分５３の内部を全反射しながら検体を透過し、他方の開口端５３ｂから射出される。従って、光導波管用細管部分５３の軸線方向に吸光度を精度よく測定するための光路長を確保することができる。また、光導波管用細管部分５３は光導波管として機能するので、光導波管用細管部分５３が曲がっていても光学的な損失が少ない。従って、測定セル５２を用いれば、吸光度を精度よく求めることができる。さらに、光導波管用細管部分５３を形成する際に高い精度が要求されないので、測定セル５２の製造コストを抑えることができる。
【００５５】
（分光光度計）
次に、図７を参照して分光光度計の主要構成を説明する。図７（ａ）は検査チップが装着されている検査テーブルの平面図であり、図７（ｂ）は図７（ａ）のＣ−Ｃ線で切断した概略断面図である。
【００５６】
分光光度計４は、検査テーブル６において装着用凹部７をＸ方向の両側および下側から囲む部位に構成されている。なお、図７に示す状態は、検査チップ３の測定セル５２に、反応チャンバ４６において薬液と反応した検体１００が充填されている状態である。
【００５７】
分光光度計４は、測定セル５２に充填されている検体１００に向けて検査光を射出する光射出手段６０と、検体１００を透過した透過光を受光する受光手段６５を有している。また、検体１００を光導波管用細管部分５３の中空部分に充填するための検体充填手段７０を有している。
【００５８】
光射出手段６０は、光源ユニット６１と、この光源ユニット６１から射出された検査光を端面から射出する光射出側光ファイバ６２とを有しており、装着用凹部７の一方の側に配置されている。光源ユニット６１は白色レーザ光源とバンドパスフィルタを備えており、このバンドパスフィルタを通過した特定波長の光が検査光として射出される。なお、バンドパスフィルタに代えてダイクロイックプリズムを用いて特定波長の光を射出するようにすることもできる。光射出側光ファイバ６２の端部分は光導波管用細管部分５３の開口端よりも大径に形成されており、この端面６２ａが光導波管用細管部分５３の一方の開口端５３ａに密着することにより、開口端５３ａを密閉している。
【００５９】
受光手段６５は、受光ユニット６６と、端面６７ａから入射する光をこの受光ユニット６６の受光部に導く受光側光ファイバ６７とを有しており、装着用凹部７の他方の側に配置されている。受光ユニット６６は受光素子としてフォトダイオード、フォトトランジスタまたはフォトマルチプレクサなどを用いたものである。受光側光ファイバ６７の端部分は光導波管用細管部分５３の開口端よりも大径に構成されており、この端面６７ａが光導波管用細管部分５３の他方の開口端５３ｂに密着することにより、開口端５３ｂを密閉している。
【００６０】
この状態で、光源ユニット６１から射出された検査光は、光射出側光ファイバ６２を介して光導波管として機能している光導波管用細管部分５３に入射する。そして、光導波管用細管部分５３の内部を全反射しながら中空部分に充填されている検体１００を透過して、他方の開口端５３ｂから射出される。射出された透過光は受光側光ファイバ６７を介して受光ユニット６６に導かれる。従って、分光光度計４は、受光ユニット６６が検出する透過光から検体１００の吸光度を求めることができる。
【００６１】
ここで、光射出側光ファイバ６２および受光側光ファイバ６７の端部分はそれぞれ不図示のアクチュエータによってＸ方向に移動可能になっている。このため、光射出側光ファイバ６２の端面６２ａは光導波管用細管部分５３の一方の開口端５３ａに密着している状態と密着していない状態との間で変位する。また、受光側光ファイバ６７の端面６７ａは光導波管用細管部分５３の他方の開口端５３ｂに密着している状態と密着していない状態との間で変位する。
【００６２】
次に、検体充填手段７０は、一方の端部分が小径になっている円筒形のシリンダ７１と、不図示のアクチュエータによりシリンダ７１内を往復移動するピストン７２を備えている。装着用凹部７の下側において、小径の端部分の開口端７１ａが検体充填用細管５４の開口端５４ａと密着するように取り付けられている。検体充填手段７０は、ピストン７２を引き出すことによってシリンダ７１内および測定セル５２内に負圧を発生させ、検体１００を反応チャンバ４６からシリンダ７１内に吸引する。その後、ピストン７２を押し込むことによって、シリンダ７１に吸引した検体１００を加圧しながら測定セル５２に充填する。
【００６３】
（測定セルへの検体の充填方法）
図８、９を参照しながら検体を測定セルへ充填する方法を詳細に説明する。図８は反応チャンバから検体充填手段のシリンダへ検体を吸引する動作を示す説明図である。図９は検体充填手段のシリンダから測定セルへ検体を充填する動作を示す説明図である。
【００６４】
上述したとおり、検査テーブル６に載せた検査チップ３の各導入孔４３〜４５には、液滴吐出ヘッド２によって、指標薬、反応薬および緩衝薬がそれぞれ分注される。本例では、ノズルカートリッジ１３（１）のノズル３３から指標薬が吐出され、ノズルカートリッジ１３（２）のノズル３３から反応薬が吐出され、ノズルカートリッジ１３（３）のノズル３３から緩衝薬が吐出される。検体１００は予め導入孔４３に導入されている。これらの導入孔４３〜４５に分注された薬液は、毛細管力によって各連通溝４７〜４９に沿って反応チャンバ４６に移動する。緩衝薬と共に反応チャンバ４６に移動した検体１００（例えば血しょう）は、反応チャンバ４６で反応薬と反応する。
【００６５】
ここで、反応している検体１００を測定セル５２に充填するためには、まず、検体１００を、反応チャンバ４６から検体充填手段７０のシリンダ７１へ吸引する。
【００６６】
初期状態では、光導波管用細管部分５３の一方の開口端５３ａおよび他方の開口端５３ｂは開放されている。すなわち、光射出側光ファイバ６２の端面６２ａおよび受光側光ファイバ６７の端面６７ａはそれぞれ光導波管用細管部分５３の開口端５３ａ、５３ｂから後退した位置にある。
【００６７】
そこで、図８（ａ）に示すように、両方の開口端５３ａ、５３ｂを光射出手段６０および受光手段６５で密閉する。具体的には、光射出側光ファイバ６２および受光側光ファイバ６７の端部分を光導波管用細管部分５３に向けて前進させ、各端面６２ａ、６７ａを光導波管用細管部分５３の開口端５３ａ、５３ｂにそれぞれ密着させる。その後、図８（ｂ）に示すように、ピストン７２を引き出すことにより負圧を発生させて、反応チャンバ４６にある検体１００を、連通溝５０、連通管５１および測定セル５２を介してシリンダ７１へ吸引する。
【００６８】
次に、シリンダ７１に吸引した検体１００を測定セル５２に充填する。
【００６９】
検体１００をシリンダ７１に吸引した状態では、光導波管用細管部分５３の一方の開口端５３ａおよび他方の開口端５３ｂはそれぞれ光射出手段６０および受光手段６５によって密閉されている。そこで、図９（ａ）に示すように、一方の開口端５３ａから光射出手段６０を後退させて、この一方の開口端５３ａを開放する。具体的には、光射出側光ファイバ６２の端面６２ａを光導波管用細管部分５３の一方の開口端５３ａから後退した位置に変位させる。
【００７０】
その後、ピストン７２を押し込むことにより検体１００を加圧しながら、検体充填用細管部分５４を介して光導波管用細管部分５３に検体１００を注入する。このとき、検体１００がその表面張力によって一方の開口端５３ａの端面から外側に突出している状態にする。この状態のままで一方の開口端５３ａを光射出手段６０で密閉する。
【００７１】
次に、図９（ｂ）に示すように、他方の開口端５３ｂから受光手段６５を後退させて、この他方の開口端５３ｂを開放する。具体的には、受光側光ファイバ６７の端面６７ａを光導波管用細管部分５３の他方の開口端５３ｂから後退した位置に変位させる。
【００７２】
その後、ピストン７２を押し込むことにより検体１００を加圧しながら、検体充填用細管部分５４を介して光導波管用細管部分５３に検体１００を注入する。このとき、検体１００がその表面張力によって他方の開口端５３ｂから突出している状態にする。この状態のままで、他方の開口端５３ｂを受光手段６５で密閉する。なお、連通管５１には逆流を防ぐ弁機構が構成されているので、加圧された検体１００が反応チャンバ４６の側へ逆流することはない。
【００７３】
これらの動作により、測定セル５２への検体１００の充填動作は終了し、図９（ｃ）に示す状態になる。ここで、光源ユニット６１から検査光が射出されると、検査光は太線の矢印で示すように光射出側光ファイバ６２を介して光導波管として機能する光導波管用細管部分５３の一方の開口端５３ａに入射し、検体１００を透過し、透過光が光導波管用細管部分５３の他方の開口端５３ｂから射出される。透過光は受光側光ファイバ６７を介して受光ユニット６６により検出される。従って、検体１００の吸光度を求めることができる。
【００７４】
（本形態の効果）
以上説明したように、本例の臨床検査装置１に搭載されている分光光度計４は、光導波管を形成する細管の中空部分５２ａをセルとしているので、そこに充填される検体１００は微量で済む。また、その中空部分５２ａに検体１００が充填されることにより、光導波管用細管部分５３は光光導波管として機能するので、その軸線方向に検体１００を透過する光の光路長を確保することができる。従って、検体１００が微量でも、その吸光度を精度良く求めることができる。
【００７５】
さらに、光射出手段６０および受光手段６５は、Ｘ方向に変位することによって、それぞれ光導波管用細管部分５３の一方の開口端５３ａおよび他方の開口端５３ｂを密閉することが可能になっている。この結果、測定セル５２の中空部分５２ａに充填された検体１００を外気から遮断することができるので、吸光度を測定する間に検体１００が、変質や蒸発してしまうことがない。よって、吸光度に基づいた成分濃度の分析を精度よく行うことができる。また、光導波管用細管部分５３の開口端は光射出手段６０および受光手段６５によって密閉されているので、測定セル５２を密閉するための部材を別途用意する必要がない。
【００７６】
さらに、測定セル５２への検体１００の充填は、検体充填用細管部分５４の開口端５４ａに密着する検体充填手段７０によって行われるので、操作者に、熟練を要するピペッティングなどを強いることがない。
【００７７】
また、分光光度計４は、検体１００を加圧しながら光導波管用細管部分５３に注入することにより、検体１００を開口端５３ａ、５３ｂの各端面から突出している状態にしている。この結果、光導波管用細管部分５３の内部に気泡が残ってしまうことがないので、吸光度を精度よく求めることができる。また、光射出手段６０または受光手段６５によって開口端５３ａ、５３ｂのうちのいずれか一方を密閉した状態にして、いずれか他方の開口端から検体１００を外側に突出させているので、検体１００が表面張力によって突出する量を調節することができる。従って、検体１００を開口端５３ａ、５３ｂからオーバーフローさせて消費してしまうことを避けることができる。
【００７８】
さらに、光導波管用細管部分５３に検体１００を充填する際に、光導波管用細管部分５３の中央で軸線方向と直交する方向に分岐している検体充填用細管部分５４を介して充填しているので、充填される検体１００の淀みをなくし、気泡が細管内に停滞することを回避することができる。また、検体１００を効率的に充填することができる。
【００７９】
（その他の実施の形態）
上記の例では、計測セル５２への検体１００の充填は、検体１００をシリンダ７１に吸引した後は光導波管用細管部分５３の一方の開口端５３ａと他方の開口端５３ｂとを交互に開放しながら行っている。しかし、検体１００をシリンダ７１に吸引した後は、開口端５３ａ、５３ｂを両方とも開放しておいて検体充填手段７０によって検体１００を加圧しながら充填用細管部分５４を介して光導波管用細管部分５３内に注入することもできる。この場合には、検体１００を少なくとも一方の開口端５３ａおよび他方の開口端５３ｂの各端面から外側に突出している状態にして、場合によっては、検体１００を開口端５３ａ、５３ｂの双方の開口端から、あるいは、いずれか一方の開口端からオーバーフローさせながら、光射出手段６０および受光手段７０で密閉する。
【００８０】
このような充填方法によっても、検体１００を加圧しながら光導波管用細管部分５３に注入して、検体１００を開口端５３ａ、５３ｂから外側に突出している状態にすることができるので、光導波管用細管部分５３の内部に気泡が残ってしまうことがない。従って、吸光度を精度よく求めることができる。
【００８１】
また、上記の例では、検体１００は、反応チャンバ４６から測定セル５２を介して検体充填手段７０のシリンダ７１に吸引されているが、検体１００をシリンダ７１に吸引する構成はこれに限られるものではない。例えば、反応チャンバ４６から測定セル５２を介さないでシリンダ７１と接続可能な道通管を用意しておいて、これを介して検体１００を吸引することができる。この場合には、検体１００の吸引が終了した後に、シリンダ７１の小径部分の開口端７１ａと検体充填用細管部分５４の開口端５４ａとを密着させる。また、分光光度計４は、初期状態では光導波管用細管部分５３の一方の開口端５３ａおよび他方の開口端５３ｂが開放されているので、他方の開口端５３ｂを受光手段６５で密閉して、図９（ａ）に示す状態にし、しかる後に上述した方法によって検体１００を測定セル５２に充填すればよい。
【図面の簡単な説明】
【００８２】
【図１】本発明を適用した臨床検査装置の主要部分の概略構成図である。
【図２】図１の臨床検査装置の正面図および平面図である。
【図３】図１のＡ−Ａ線で切断した部分の断面図である。
【図４】図１の臨床検査装置の分注動作を示す説明図である。
【図５】図１の臨床検査装置の分注動作を示す説明図である。
【図６】検査チップの斜視図および断面図である。
【図７】検査チップを検査テーブルに装着した状態の平面図および断面図である。
【図８】検体を反応チャンバから検体充填手段へ吸引する動作を示す説明図である。
【図９】検体を測定セルに充填する動作を示す説明図である。
【符号の説明】
【００８３】
１  臨床検査装置、２  液滴吐出ヘッド、  ２Ａ  待機位置、２Ｂ  分注位置、２Ｃ  洗浄液吸引位置、２Ｄ  薬液吸引位置、３  検査チップ、４  分光光度計、５  装置フレーム、６  検査テーブル、７  装着用凹部、８  ヘッドキャリッジ、９  キャリッジガイド軸、９ａ  キャリッジモータ、９ｂ  タイミングベルト、９ｃ  プーリ、１０  チップマガジン、１１（１）〜１１（３）  駆動ユニット、１２（１）〜１２（３）  装着穴、１３（１）〜１３（３）  ノズルカートリッジ、１４  吸引流路板、１４（ａ）〜１４（ｃ）  吸引流路、１５  フレキシブル配線板、１６  ヘッド吸引ポンプ、１７  廃液回収ユニット、１８  キャップ、１９  廃液回収ポンプ、２１  液体貯留部、２２（１，１）〜２２（３，５）  ウエル、２３  ウエルプレート、２４  昇降ユニット、２６  液送ポンプ、３１  貯留部、３２  装着部、３３  ノズル、３４  液体流路、４１  基板、４２  表面、４３〜４５  導入孔、４６  反応チャンバ、４７〜５０  連通溝、５１  連通管、５２  測定セル、５３  光導波管用細管部分、５４  検体充填用細管部分、６０  光射出手段、６１  光源ユニット、６２  光射出側光ファイバ、６５  受光手段、６６  受光ユニット、６７  受光側光ファイバ、７０  検体充填手段、７１  シリンダ、７２  ピストン、１００  検体
【図１】
2009008470.tif 000003
【図２】
2009008470.tif 000004
【図３】
2009008470.tif 000005
【図４】
2009008470.tif 000006
【図５】
2009008470.tif 000007
【図６】
2009008470.tif 000008
【図７】
2009008470.tif 000009
【図８】
2009008470.tif 000010
【図９】
2009008470.tif 000011